(57)【要約】【課題】現在適用されている補正設定がユーザにわかりやすいカラーメータを提供する。【解決手段】カラーメータ１を、相互に異なった分光感度を有する複数の測光センサ５１と、測光センサが出力する測光信号に基づいて、色補正情報を出力する色補正情報出力手段１６０と、予め設定されたプリセット修正情報に応じて色補正情報を修正する色補正情報修正手段１６０と、複数のプリセット修正情報を、任意の文字列からなるネーミングと併せてユーザが設定可能な修正内容設定手段２００と、複数のプリセット修正情報から任意の一つを選択可能なプリセット修正情報選択手段２０と、プリセット修正情報の使用時にネーミングの文字列を表示するプリセット名表示手段３０とを備える構成とする。【選択図】図６
2009053064.tif 000002
【特許請求の範囲】
【請求項１】
撮影用光源の光を測定して撮影用の色補正情報を出力するカラーメータであって、
相互に異なった分光感度を有し、入射光量に応じた測光信号を出力する複数の測光センサと、
前記複数の測光センサが出力する測光信号に基づいて、色補正情報を出力する色補正情報出力手段と、
予め設定されたプリセット修正情報に応じて前記色補正情報を修正する色補正情報修正手段と、
複数の前記プリセット修正情報を、任意の文字列からなるネーミングと併せてユーザが設定可能な修正内容設定手段と、
前記複数のプリセット修正情報から任意の一つを選択可能なプリセット修正情報選択手段と、
前記色補正情報修正手段が前記プリセット修正情報に基づいて前記色補正情報の修正を行う際に、該プリセット修正情報に対応する前記ネーミングの文字列を表示するプリセット名表示手段と、
を備えることを特徴とするカラーメータ。
【請求項２】
前記色補正情報は、色温度バランス補正量と色調整補正量との少なくとも一方を含み、
前記プリセット修正情報は、前記ユーザによって設定される基準色温度、色温度バランス補正量修正情報、色調整補正量修正情報の少なくとも一つを含むこと、
を特徴とする請求項１に記載のカラーメータ。
【請求項３】
前記プリセット名表示手段は、前記色補正情報が表示される７セグメント表示部及びキャラクタ表示部と同じ液晶表示パネルの一部に設けられたドットマトリクス表示部であること、
を特徴とする請求項１又は２に記載のカラーメータ。
【発明の詳細な説明】
【技術分野】
【０００１】
本発明は、撮影用光源等の光を測定して撮影用の色補正情報等を出力するカラーメータ（色測定器）に関し、特には、色補正情報への修正内容をユーザがプリセット可能であるカラーメータに関する。
【背景技術】
【０００２】
例えば写真撮影に用いられる撮影用光源には、自然光（太陽光）、タングステン光（白熱電球）、フラッシュ光、蛍光灯、水銀灯、さらにはこれらのミックス光などがあり、これらの光源の性質の違いは、写真の色の違いとして表れる。
このため、写真撮影において、照明された被写体が、フィルムカメラやデジタルカメラの記憶媒体に適切な色バランスで記録されるためには、撮影時に光源の種類に応じてフィルタを用いたり、また、デジタルカメラの場合には撮影時色温度設定を変更する等の色補正をする必要がある。
【０００３】
カラーメータは、光源からの光を測定して、このようなフィルタ選択や色温度設定に有用な色補正情報を出力する計測機器である。
従来このようなカラーメータとして、３つの受光部にＲＧＢ各色のフィルタを設けて分光感度を異ならせ、各受光部の出力に基づいて光源の色温度を測定する色温度計が知られている（例えば、特許文献１を参照）。
【特許文献１】特開平５−２２３６４３号公報
【発明の開示】
【発明が解決しようとする課題】
【０００４】
従来のカラーメータは、フィルムに対して色温度を合わせることを目的としており、撮影の意図や、蛍光灯などの誤差が生じやすい光源に対する補正、フィルムの乳剤ロットによる特性の違いの補正などを行う用途を前提として、色温度バランスや色調整の補正を行っている。
これに対し、デジタルカメラは、カメラ側で光源の種類や色温度の違いに対応するための設定機能を備えている場合が多い。一般的なデジタルカメラは、撮影条件により、晴天、曇天、日陰、白熱灯、蛍光灯、フラッシュ光などの各光源に対応した撮影モード（プリセットホワイトバランス）が予め準備されている。これらの撮影モードは、予め設定された基準となる色温度を持っており、また、それぞれの光源がもつ特徴を残すための補正が行われている場合が多い。
【０００５】
このため、デジタルカメラの撮影時に用いるカラーメータの場合、カメラ側の基準色温度や、カメラ毎の色補正の傾向を反映させた色補正情報を出力することが求められる。これに対し、カラーメータ側にカメラ側の基準色温度やカメラ毎に異なる補正の傾向をユーザが任意にプリセット可能とし、プリセットされた情報に応じて色補正情報を修正することが考えられる。しかし、こうしたプリセットを複数設定可能とした場合、正しいプリセットが選択されているのかユーザが判別しにくく、カラーメータの使い勝手が損なわれるおそれがある。
本発明は、上述した問題に鑑みなされたものであって、現在適用されている補正設定がユーザにわかりやすいカラーメータを提供することを課題とする。
【課題を解決するための手段】
【０００６】
上記の課題を解決するため、本発明のカラーメータは、撮影用光源の光を測定して撮影用の色補正情報を出力するカラーメータであって、相互に異なった分光感度を有し、入射光量に応じた測光信号を出力する複数の測光センサと、前記複数の測光センサが出力する測光信号に基づいて、色補正情報を出力する色補正情報出力手段と、予め設定されたプリセット修正情報に応じて前記色補正情報を修正する色補正情報修正手段と、複数の前記プリセット修正情報を、任意の文字列からなるネーミングを併せてユーザが設定可能な修正内容設定手段と、前記複数のプリセット修正情報から任意の一つを選択可能なプリセット修正情報選択手段と、前記色補正情報修正手段が前記プリセット修正情報に基づいて前記色補正情報の修正を行う際に、該プリセット情報に対応する前記ネーミングの文字列を表示するプリセット名表示手段と、を備えることを特徴とする。
これによれば、ユーザが設定したプリセット修正情報が選択された際に、任意の文字列からなるネーミングが表示されるため、現在適用されている補正設定がユーザにわかりやすい。例えば、プリセット修正情報のネーミングとして、機材の名称や撮影状況を示す文字列を設定することによって、プリセット修正情報の誤選択を防止して適切な色補正情報を得ることができる。
【０００７】
本発明において、前記色補正情報は、色温度バランス補正量と色調整補正量との少なくとも一方を含み、前記プリセット修正情報は、前記ユーザによって設定される基準色温度、色温度バランス補正量修正情報、色調整補正量修正情報の少なくとも一つを含む構成とすることができる。
これによれば、デジタルカメラの機種毎あるいは撮影モード毎にばらつきが生じる場合のある基準色温度、色温度バランス、色調整について、各カメラ等の特徴を考慮したプリセット修正情報を準備することによって、これらのばらつきの影響を軽減した色補正情報を出力することができる。
【０００８】
また、本発明において、前記プリセット名表示手段は、前記色補正情報が表示される７セグメント表示部及びキャラクタ表示部と同じ液晶表示パネルの一部に設けられたドットマトリクス表示部である構成とすることができる。
これによれば、プリセット名表示手段をドットマトリクス表示部とすることによって任意の文字列の表示自由度を向上しつつ、比較的表示内容が単調な色補正情報の表示部は７セグメント表示部及びキャラクタ表示部とすることによって、カラーメータのコストを低くすることができる。
【発明の効果】
【０００９】
以上のように、本発明によれば、色補正情報の修正に関するプリセット修正情報に任意の文字列からなるネーミングを設定可能とし、プリセット修正情報の利用時にネーミングが表示される構成とすることによって、現在適用されている補正設定がユーザにわかりやすいカラーメータを提供することができる。
【発明を実施するための最良の形態】
【００１０】
以下、本発明を適用したカラーメータの実施形態について、図面等を参照しつつ説明する。
図１は、本実施形態のカラーメータの外観図である。
カラーメータ１は、本体部１０及びセンサ収容部５０を備えている。
本体部１０は、操作部２０、表示部３０、外部インターフェイス４０等を備えている。
【００１１】
操作部２０は、電源ボタン２１、測光ボタン２２、モニタボタン２３、メニューモードボタン２４、プリセット切換ボタン２５、レンジ切換ボタン２６、測光モード切換ボタン２７、表示切換ボタン２８、ダイアル２９等を備えて構成されている。
【００１２】
電源ボタン２１は、カラーメータ１の電源のオンオフ操作が入力される。
測光ボタン２２は、測定開始操作が入力される。
モニタボタン２３は、あるポイントでの測定値を基準とし、比較したい箇所の測定値との色温度差を表示するモニタ機能を用いる場合に、基準としたい測定値を基準値として記憶させる際に操作される。
【００１３】
メニューモードボタン２４は、測光モード等を選択するメニュー画面を表示する際に操作される。
プリセット切換ボタン２５は、予めユーザがプリセットした測光設定を呼び出す際に操作される。プリセットされた測光設定の呼び出しは、プリセット切換ボタン２５を押しながらダイアル２９を回すことによって行われる。
【００１４】
レンジ切換ボタン２６は、フラッシュ光を測光する場合に、フラッシュ光の光量の大小に応じて測光レンジを切り換える操作が入力される。フラッシュ光の測光レンジは、例えば、H（ハイ）レンジ、L（ロー）レンジの２段階が用意される。ユーザは、測光時に表示部にアンダー表示又はオーバー表示が出た場合には、レンジ切換ボタン２６を押しながらダイアル２９を回すことによってレンジの切換を行う。
【００１５】
測光モード切換ボタン２７は、定常光測定、コードレスフラッシュ光測定、コードインフラッシュ光測定、電波フラッシュ光測定の各測定モード、及び、電波トリガチャンネル設定モードの切換時に操作される。各モードの選択は、測光モード切換ボタン２７を押しながらダイアル２９を回すことによって行う。
【００１６】
表示切換ボタン２８は、測光後に色補正情報を表示する表示モードの選択時に操作される。カラーメータ１は、デジタルカメラ用、フィルムカメラ用としてそれぞれ複数の表示モードを備えている。
デジタルカメラ用の表示モードは、以下の４モードからなる。
Ｄ１：ＬＢ指数／ＣＣ指数表示
Ｄ２：ＬＢフィルタ番号／ＣＣフィルタ番号表示
Ｄ３：視覚的色温度（Ｋ）／ＣＣ指数（ΔＣＣ）表示
Ｄ４：プリセット色温度と視覚的色温度の差（ΔＫ）／ＣＣ指数（ΔＣＣ）表示
【００１７】
また、フィルムカメラ用の表示モードは、以下の３モードからなる。
Ｆ１：ＬＢ指数／ＣＣ指数表示
Ｆ２：ＬＢフィルタ番号／ＣＣフィルタ番号表示
Ｆ３：写真的色温度（Ｋ）表示
表示モードの切換は、表示切換ボタン２８を押しながらダイアル２９を回すことによって行う。
ダイアル２９は、上述した各種操作に用いられる回転式の操作部である。
上述した操作部２０は、設定情報保持部２００と協働して、本発明でいう修正内容設定手段、及び、プリセット修正情報選択手段として機能する。
【００１８】
表示部３０は、本体部１０の前面に設けられた液晶表示装置（ＬＣＤ）である。なお、この表示部３０の詳細については後に詳しく説明する。
外部インターフェイス４０は、例えばコンピュータ等の外部の情報処理装置と接続され通信を行うためのものである。外部インターフェイス４０は、例えばＵＳＢ端子を備えている。
【００１９】
センサ収容部５０は、本体部１０の上部に設けられ、本体部１０に対して回転可能に支持されている。
センサ収容部５０は、測定対象となる光が入射される受光部５１を備えている。受光部５１は、例えば乳白色の半透明樹脂材料を用いて形成されたドーム状のカバーの内部に、異なった分光感度を有する４つの図示しない測光センサを備えて構成されている。受光部５１は、明るさに応じた各レンジ毎のＡＤ変換値を出力する。本実施形態のカラーメータ１においては、この４つの測光センサの出力に対し重み付け処理を行って各モードにおける三色感度を得ている。
【００２０】
図２は、カラーメータ１の内部構成を示すブロック図である。
カラーメータ１は、さらに情報処理部１００を有する。情報処理部１００は、四色測光値算出部１１０、三色信号処理部１２０、システムモード選択部１３０、ミレッド値算出部１４０、白色感度設定部１５０、色補正値算出部１６０、色温度算出部１７０、照度算出部１８０、三原色発光量算出部１９０、設定情報保持部２００等を備えて構成されている。
【００２１】
四色測光値算出部１１０は、受光部からのＡＤ変換値を四色信号値化する。
三色信号処理部１２０は、四色測光値算出部１１０からの四色信号値、及び、システムモード選択部１３０からのモード信号に基づいて、フィルムカメラ、デジタルカメラ、表示系の各モードにおける三色値を算出する。
三色信号処理部１２０は、三色値算出部１２１、分光感度発生部１２２を備えている。
三色値算出部１２１は、四色信号値に所定の分光感度変換係数によって重み付け処理を行って三色値ＲＧＢを算出する。
分光感度発生部１２２は、各モード毎に予め設定された分光感度変換係数を保持し、システムモード選択部１３０からのモード信号に応じて選択されたモードの分光感度変換係数を三色値算出部１２１に提供する。
【００２２】
システムモード選択部１３０は、フィルムカメラ用、デジタルカメラ用、表示系用の各モードのうち、操作部２０からの入力により選択されたモードに対応するモード信号を三色信号処理部１２０に提供する。
【００２３】
ミレッド値算出部１４０は、三色値算出部１２１が算出した三色値ＲＧＢの２色比ＢＲ、ＢＧ（またはＲＧ）の対数変換値を算出する。
【００２４】
白色感度設定部１５０は、カメラの記録媒体の基準色温度のホワイトバランスと同一の色温度を発生するものである。カメラの記録媒体の色温度とは、例えばデジタルカメラの場合には、撮影時に選択されたホワイトバランス設定において適用されている色温度である。
【００２５】
色補正値算出部１６０は、白色感度設定部１５０の基準色温度、及び、ミレッド値算出部１４０からのミレッド値から、選択されたモードにそれぞれ対応した色補正量を算出する。ここで、色補正量として、基準色温度に対する色温度差ΔＫ、ＬＢ指数、ＣＣ指数、光学フィルタ番号等が含まれる。色補正値算出部１６０は、本発明にいう色補正情報出力手段である。
ＬＢ(ライトバランス)指数は、ＬＢフィルタに表示されているミレッド変換値や色温度変換能力に相当する。
ＣＣ(カラーコンペンセイション)指数は、グリーン領域の色補正必要量を示している。
また、光学フィルタ番号は、上述したＬＢ及びＣＣの補正に用いられるＬＢフィルタ及びＣＣフィルタの番号（品番）である。
また、色補正値算出部１６０は、設定情報保持部２００にユーザがプリセットしたユーザ設定に応じて、出力される色補正量を修正する機能（本発明にいう色補正情報修正手段としての機能）を備えている。この点については後に詳しく説明する。
【００２６】
色温度算出部１７０は、デジタルカメラの等色関数に近似した分光感度で算出したミレッド値算出部のＢＲミレッドから、色温度Ｋを算出する。また、色温度算出部１７０は、式６に示すように、ＢＲミレッドとＢＧミレッドとの差から、黒体放射エネルギ分布（プランクの式）からの乖離量である黒体バランス（ΔＣＣ）を算出する。
【００２７】
照度算出部１８０は、三色値算出部１２１からのデジタルモードの比視感度に近似したＧ値から照度値、輝度値を算出する。
【００２８】
三原色発光量算出部１９０は、システムモード選択部１３０によってモニタモード（ＣＲＴモード、ＬＣＤモード、プラズマモードのいずれか）が選択されている場合に、三色信号処理部からの三色値ＲＧＢからモニターの基準白色値（色温度）で正規化した各三原色の相対発光強度を算出する。
【００２９】
設定情報保持部２００は、色補正値算出部１６０が出力する色補正値の修正に用いられる設定情報を保持する記憶装置を備えている。
図３は、設定情報保持部２００が保持する設定情報のデータ構造を示す模式図である。
設定情報Ｉは、カラーメータ１の製造時等に予め設定された標準設定データＤ、及び、ユーザがカラーメータ１による測定前にプリセットするユーザ設定Ｕを有する。このユーザ設定Ｕは、本発明にいうプリセット修正情報である。ユーザ設定Ｕは、設定１（Ｕ１）〜設定Ｎ（ＵＮ）（Ｎ：自然数）までの複数のデータからなる。ユーザ設定Ｕの各設定Ｕ１〜ＵＮは、それぞれ設定名称（ネーミング）、基準色温度、ＬＢ補正量（ΔＬＢ）、ＣＣ補正量（ΔＣＣ）に関するデータを有する。各設定Ｕ１〜ＵＮは、以下説明する操作部２０からのユーザ設定選択情報Ｓによって選択可能となっている。また、この各設定Ｕ１〜ＵＮは、本発明にいうプリセット修正情報である。
【００３０】
次に、上述したユーザ設定の登録方法について説明する。
先ず、メニューモードボタン２４が押されると表示部３０に表示されるメニュー画面から、「プリセット設定」をダイアル２９で選択して測光ボタン２２（ここでは決定ボタンとして機能）を押すと、プリセット設定モードに入る。
このプリセット設定モードでは、表示部に各ユーザ設定固有の番号であるプリセット番号が表示される。この状態でダイアル２９を操作し、データを書き込むべきプリセット番号を選択し、もう一度測光ボタン２２を押すと、設定画面が表示される。
【００３１】
図４は、表示部３０に表示される設定画面の一例を示す図である。
図４の場合には、表示部３０は、バッテリ表示３１、フィルム／デジタル表示３２、基準色温度表示３３、ＣＣ補正量表示３４、ＬＢ補正量表示３５、プリセット表示３６を表示している。また、表示部３０は、ドットマトリクス表示部３７を備えている。なお、ドットマトリクス表示部３７以外の領域においては、数字は主に７セグメントで表示し、数字以外の文字や記号等はキャラクタ表示となっている。
【００３２】
バッテリ表示３１は、バッテリ残量を示すキャラクタマークである。
フィルム／デジタル表示３２は、フィルムモード、デジタルモードのどちらが選択されているかを示している。
基準色温度表示３３は、デジタルカメラの基準色温度を示している。
【００３３】
ＣＣ補正量表示３４は、色補正量を数値又は補正用のＣＣフィルタの番号によって示している。
ＬＢ補正量表示３５は、色温度補正量を数値又は補正用のＬＢフィルタの番号によって示している。
プリセット表示３６は、ユーザ設定の利用時に、例えば「ＰＲＥＳＥＴ」等の文字が表示されることによって、ユーザに対してユーザ設定が適用されることを知らせる。
ドットマトリクス表示部３７は、表示部の一部に設けられ、以下説明するネーミングに用いられる文字列の表示が可能な程度の解像度（画素数）を有する。このドットマトリクス表示部３７は、本発明にいうプリセット名表示手段である。
【００３４】
設定画面が表示されている状態において、ユーザはダイアル２９及び測光ボタン２２を用いて、各ユーザ設定に対して任意の文字列からなるネーミングを設定することができる。具体的には、ダイアル２９を回すと、表示部３０のドットマトリクス表示部３７に候補文字が順次表示され、所望の文字が表示されたときに測光ボタン２２を押すと、その文字が入力される。
このネーミングに利用可能な文字は、例えば、以下の通りである。
（１）アルファベット（大文字、小文字）Ａ〜Ｚ
（２）数字１〜９
（３）空白
（４）記号（ハイフン、カンマ、ピリオド等）
また、入力可能な文字列の長さは、例えば最大８文字となっている。
そして、文字列の入力終了後、再度測光ボタン２２を押すと、色温度、ＬＢ補正量、ＣＣ補正量の各設定モードに入る。各モードにおいては、それぞれダイアル２９の回転操作によって入力すべき数値を設定し、その後測光ボタン２２を押すことによって確定される。
【００３５】
次に、カラーメータ１の測定時における表示部３０の表示例について説明する。
図５は、ユーザ設定非使用での測定時における表示例を示す図である。
ユーザ設定を用いない場合には、上述したプリセット表示３６は表示されず、また、ドットマトリクス表示部３７にも何も表示されない状態となっている。
なお、測定時においては、表示部３０はさらに測光モード表示３８を表示している。この測光モード表示３８は、定常光測定、コードレスフラッシュ光測定、コードインフラッシュ光測定、電波フラッシュ光測定のうちどれが選択されているかを示すキャラクタマークである。
これに対し、図６は、ユーザ設定を用いての測定時における表示例を示す図である。この場合、プリセット表示３６が表示され、また、ドットマトリクス表示部３７には、ユーザ設定に付与されたネーミングである「Ｌａｍｐ１」という文字列が表示されている。
【００３６】
以上説明したように、本実施形態によれば、ユーザがプリセットしたユーザ設定を用いて測定を行う際に、任意の文字列からなるネーミングが表示部３０のドットマトリクス表示部３７に表示されるため、現在適用されている補正設定がユーザに分かりやすい。
これによって、ユーザの記憶やメモ書き等の外部記録に頼らなくても、ユーザが使用するデジタルカメラの機種や撮影状態に応じた適切な補正設定を間違えずに選択することができる。
また、フィルムカメラの使用者に対しても、光源に対する補正やフィルムの乳剤ロットによる特性の補正など、現在の補正の意図が容易に把握できることになる。
【００３７】
また、ユーザが基準色温度、ΔＣＣ、ΔＬＢをプリセット可能であることによって、デジタルカメラの機種ごとあるいは撮影モード毎に異なった基準色温度、色温度バランス、色調整について、各カメラ等の特徴を考慮したユーザ設定を準備することができ、適切な色補正情報を得ることができる。
さらに、ユーザ設定のネーミングが、７セグメント表示部及びキャラクタ表示部を有する表示部３０の一部に設けられたドットマトリクス表示部３７に表示されることから、比較的表示内容が単調なΔＣＣ、ΔＬＢ等の色補正情報は７セグメント表示部及びキャラクタ表示部に表示し、表示内容が複雑なネーミングのみドットマトリクス表示部３７に表示することによって、表示部３０のコストを低くすることができる。
【００３８】
（他の実施の形態）
なお、本発明は上記した実施形態のみに限定されるものではなく、種々の応用や変形が考えられる。例えば、実施形態では表示部の一部にのみドットマトリクス表示部を設けているが、表示部全体をドットマトリクスとした構成としてもよい。また、カラーメータが複数の表示部を有し、その一つにユーザ設定のネーミングが表示される構成としてもよい。
【図面の簡単な説明】
【００３９】
【図１】本発明を適用したカラーメータの実施の形態における外観図である。
【図２】図１のカラーメータの内部構成を示すブロック図である。
【図３】図１のカラーメータの設定情報保持部が保持する設定情報のデータ構造を示す模式図である。
【図４】図１のカラーメータの表示部に表示される設定画面の一例を示す図である。
【図５】図１のカラーメータのユーザ設定非使用での測定時における表示例を示す図である。
【図６】図１のカラーメータのユーザ設定を用いての測定時における表示例を示す図である。
【符号の説明】
【００４０】
１    カラーメータ              １０    本体部
２０    操作部                    ２１    電源ボタン
２２    測光ボタン                ２３    モニタボタン
２４    メニューモードボタン      ２５    プリセット切換ボタン
２６    レンジ切換ボタン          ２７    測光モード切換ボタン
２８    表示切換ボタン            ２９    ダイアル
３０    表示部                    ３１    バッテリ表示
３２    測光モード表示            ３３    フィルム／デジタル表示
３４    ＣＣ補正量表示            ３５    ＬＢ補正量表示
３６    プリセット表示            ３７    ドットマトリクス表示部
３８    測光モード表示            ４０    外部インターフェイス
５０    センサ収容部              ５１    受光部
１００    情報処理部              １１０    四色測光値算出部
１２０    三色信号処理部          １２１    三色値算出部
１２２    分光感度発生部          １３０    システムモード選択部
１４０    ミレッド値算出部        １５０    白色感度設定部
１６０    色補正値算出部          １７０    色温度算出部
１８０    照度算出部              １９０    三原色発光量算出部
２００    設定情報保持部
【図１】
2009053064.tif 000003
【図２】
2009053064.tif 000004
【図３】
2009053064.tif 000005
【図４】
2009053064.tif 000006
【図５】
2009053064.tif 000007
【図６】
2009053064.tif 000008